(57)【要約】【課題】この発明は、自動販売機が販売する様々な商品に応じて、曲率半径が異なる複数種の表示ラベルを一つのラベル保持体で保持することができる展示見本のラベル保持体の提供を目的とする。【解決手段】展示見本１を構成するラベル支持枠２の軸芯Ｘを中心として、上側保持部２Ａの保持壁２Ｄａと下側保持部２Ｂの保持壁２Ｄｂとを、自動販売機Ａが販売する商品と対応する曲率半径の表示ラベルＣ又はＤが保持される径に拡縮調節する。これにより、曲率半径が異なる表示ラベルＣ又はＤを一つのラベル保持体２で保持することができる。【選択図】図２
2010257030.tif 000002
【特許請求の範囲】
【請求項１】
自動販売機の見本陳列部に陳列され、該自動販売機が販売する商品と酷似する表示内容が印刷された表示ラベルを保持する展示見本のラベル保持体であって、
前記ラベル保持体の上端に、前記表示ラベルの上縁部が保持される上側保持部を形成し、
前記ラベル保持体の下端に、前記表示ラベルの下縁部が保持される下側保持部を形成し、
前記上側保持部及び前記下側保持部の周縁部に、前記商品と対応する曲率半径に表示ラベルを矯正する保持壁をそれぞれ形成し、
前記保持壁を、前記表示ラベルの曲率半径に応じて、該表示ラベルの上下縁部が保持される曲率半径に拡縮自在に設けた
展示見本のラベル保持体。
【請求項２】
前記上側保持部及び前記下側保持部の一側縁部に、前記表示ラベルが保持される保持壁の一端を連設し、
前記上側保持部及び前記下側保持部の他側縁部に、前記保持壁の他端が挿入される挿入部を形成し、
前記挿入部に対する保持壁の挿入長さを長手方向に可変調節自在に設け、該保持壁が前記表示ラベルを保持する曲率半径に拡縮調節される
請求項１に記載の展示見本のラベル保持体。
【請求項３】
前記上側保持部及び前記下側保持部の両側縁部に、前記保持壁の両端が挿入される挿入部をそれぞれ形成し、
前記挿入部に対する保持壁の挿入長さを長手方向に可変調節自在に設け、前記保持壁が前記表示ラベルを保持する曲率半径に拡縮調節される
請求項１に記載の展示見本のラベル保持体。
【請求項４】
前記挿入部に、該挿入部に挿入された保持壁の挿入長さを長手方向に可変調節する挿入長さ調節手段を設けた
請求項２又は３に記載の展示見本のラベル保持体。
【請求項５】
前記ラベル保持体を、前記上側保持部が形成された上側枠体と、前記下側保持部が形成された下側枠体とで構成し、
前記上側保持部の下面側後縁部に対し下方に向けて垂直に形成された上側支持板と、前記下側保持部の上面側後縁部に対し上方に向けて垂直に形成された下側支持板とを上下動自在に連結し、
前記上側枠体と下側枠体とを、前記表示ラベルの上下縁部が保持される高さに上下伸縮自在に設けた
請求項１〜４のいずれか一つに記載の展示見本のラベル保持体。
【発明の詳細な説明】
【技術分野】
【０００１】
この発明は、例えば缶型、瓶型、ボトル型、箱型、袋型等の商品を販売する自動販売機において、その商品の選択や宣伝を目的とするために陳列される展示見本のラベル保持体に関する。
【背景技術】
【０００２】
従来、前記展示見本としては、例えば表面に販売商品が表示された弾性シート状の商品表示体と、商品表示体を保持する表示体支持部材とを有するとともに、表示体支持部材は、商品見本展示用ステージ上に、向きを１８０度変更可能に設置される底板部と枠状部を備え、枠状部の前面及び背面に、商品表示体の両縁を係止する左右１対の商品表示体係止部をそれぞれ備え、表示体支持部材の前面及び背面に大きさの異なった商品表示体が着脱自在に取り付けられる特許文献１の自動販売機用商品見本がある。
【０００３】
しかし、特許文献１は、表示体支持部材の前面及び背面に取り付けられる商品表示体のサイズが予め定められており、予め定められたサイズ以外の商品表示体を保持することができない。また、前記サイズ以外の商品表示体を取り付けるには、表示体支持部材を、曲率半径が大きい商品表示体の保持が許容される大きさに形成された表示体支持部材に交換するか、曲率半径が小さい商品表示体が保持される表示体支持部材に取り替えなければならず、表示体支持部材の取り替え作業に手間及び時間が掛かる。また、商品表示体のサイズ数に対応して、商品見本の保管数及び取扱い数が増えるだけでなく、商品見本の製作に要するコストが高くなるという問題点を有している。
【先行技術文献】
【特許文献】
【０００４】
【特許文献１】特開２００３−１８７３０９
【発明の概要】
【発明が解決しようとする課題】
【０００５】
この発明は、曲率半径が異なる複数種の表示ラベルを保持する際に用いることができる展示見本のラベル保持体を提供することを目的とする。
【課題を解決するための手段】
【０００６】
この発明は、自動販売機の見本陳列部に陳列され、該自動販売機が販売する商品と酷似する表示内容が印刷された表示ラベルを保持する展示見本のラベル保持体であって、前記ラベル保持体の上端に、前記表示ラベルの上縁部が保持される上側保持部を形成し、前記ラベル保持体の下端に、前記表示ラベルの下縁部が保持される下側保持部を形成し、前記上側保持部及び前記下側保持部の周縁部に、前記商品と対応する曲率半径に表示ラベルを矯正する保持壁をそれぞれ形成し、前記保持壁を、前記表示ラベルの曲率半径に応じて、該表示ラベルの上下縁部が保持される曲率半径に拡縮自在に設けた展示見本のラベル保持体であることを特徴とする。
【０００７】
この発明の態様として、前記上側保持部及び前記下側保持部の一側縁部に、前記表示ラベルが保持される保持壁の一端を連設し、前記上側保持部及び前記下側保持部の他側縁部に、前記保持壁の他端が挿入される挿入部を形成し、前記挿入部に対する保持壁の挿入長さを長手方向に可変調節自在に設け、該保持壁が前記表示ラベルを保持する曲率半径に拡縮調節することができる。
【０００８】
また、この発明の態様として、前記上側保持部及び前記下側保持部の両側縁部に、前記保持壁の両端が挿入される挿入部をそれぞれ形成し、前記挿入部に対する保持壁の挿入長さを長手方向に可変調節自在に設け、前記保持壁が前記表示ラベルを保持する曲率半径に拡縮調節することができる。
【０００９】
また、この発明の態様として、前記挿入部に、該挿入部に挿入された保持壁の挿入長さを長手方向に可変調節する挿入長さ調節手段を設けることができる。
【００１０】
また、この発明の態様として、前記ラベル保持体を、前記上側保持部が形成された上側枠体と、前記下側保持部が形成された下側枠体とで構成し、前記上側保持部の下面側後縁部に対し下方に向けて垂直に形成された上側支持板と、前記下側保持部の上面側後縁部に対し上方に向けて垂直に形成された下側支持板とを上下動自在に連結し、前記上側枠体と下側枠体とを、前記表示ラベルの上下縁部が保持される高さに上下伸縮自在に設けることができる。
【００１１】
前記展示見本は、例えば缶型、瓶型、ボトル型、箱型、袋型等の自動販売機が販売する商品と酷似する外観及び意匠に形成することができる。
【００１２】
ラベル保持体は、例えばポリアセタール、ポリプロピレン、ポリエチレン、ポリエステル、ポリカーボネード、アクリル等のプラスチック、或いは、例えば金属や木、ガラス、セラミックス等の材質で形成することができる。
【００１３】
表示ラベルは、透光性及び柔軟性を有するプラスチック製のシートで構成することができる。また、表示ラベルの表面には、自動販売機が販売する商品と酷似する表示内容（例えば商標、文字、模様、図柄、色彩等）が印刷されている。
【００１４】
挿入長さ調節手段は、例えば溝部と突起、或いは、保持壁を締付け固定するネジ、或いは、保持壁の凹部に係合される球体、爪体等で構成することができる。
【発明の効果】
【００１５】
この発明によれば、ラベル保持体を構成する上側保持部の保持壁と下側保持部の保持壁とを、自動販売機が販売する商品と対応する曲率半径の表示ラベルが保持される径に拡縮調節するので、曲率半径が異なる複数種の表示ラベルを一つのラベル保持体で保持することができる。また、一つのラベル保持体を共通して使用するので、展示見本の保管数及び取扱い数が少なくなり、展示見本の製作に要するコストの低減を図ることができる。
【図面の簡単な説明】
【００１６】
【図１】展示見本が陳列された自動販売機を示す正面図。
【図２】曲率半径が大きい表示ラベルの保持状態を示す斜視図。
【図３】図２の展示見本のＡ−Ａ線矢視断面図及びＢ−Ｂ線矢視断面図。
【図４】曲率半径が小さい表示ラベルの保持状態を示す斜視図。
【図５】図４の展示見本のＣ−Ｃ線矢視断面図及びＤ−Ｄ線矢視断面図。
【図６】展示見本の取り付け状態を示す縦断側面図。
【図７】展示見本の取り付け構造を示す底面側斜視図。
【図８】展示見本の他の取り付け構造を示す底面側斜視図。
【図９】展示見本のその他の取り付け構造を示す底面側斜視図。
【図１０】伸縮機能を備えた展示見本の他の例を示す斜視図。
【図１１】図１０の展示見本の取り付け状態を示す縦断側面図。
【図１２】上下の保持壁が左右均等に拡縮調節される展示見本のその他の例を示す斜視図。
【発明を実施するための形態】
【実施例】
【００１７】
図１は、本発明の一実施形態である展示見本１が陳列された自動販売機Ａを示す正面図、図２は、曲率半径が大きい表示ラベルＣの保持状態を示す斜視図、図３は、図２の展示見本１のＡ−Ａ線矢視断面図及びＢ−Ｂ線矢視断面図、図４は、曲率半径が小さい表示ラベルＤの保持状態を示す斜視図、図５は、図４の展示見本１のＣ−Ｃ線矢視断面図及びＤ−Ｄ線矢視断面図、図６は、展示見本１の取り付け状態を示す縦断側面図、図７は、展示見本１の取り付け構造を示す底面側斜視図である。
【００１８】
実施例の展示見本１は、図１に示すように、自動販売機Ａの前面に設けられた見本陳列部Ａａ内の陳列面Ａｂに陳列される。また、見本陳列部Ａａの陳列面Ａｂには、展示見本１の陳列数と対応して、平面から見て丸形状の開口部Ａｃが所定間隔に隔てて複数形成されている。また、陳列面Ａｂの下方には、蛍光灯或いは発光ダイオードからなる光源Ｂが開口部Ａｃと対向して配設されている（図６参照）。
【００１９】
開口部Ａｃは、後述する筒状部２６の差込み及び抜取りが許容される孔径に形成されている。また、開口部Ａｃの前後縁部には、後述する一対の係止部２７の挿通が許容される一対の切欠き部Ａｄが形成されている。また、開口部Ａｃの左右縁部には、後述する凸部２８の係合が許容される凹部Ａｅが形成されている。
【００２０】
展示見本１は、図２〜図７に示すように、見本陳列部Ａａの陳列面Ａｂに対し起立した状態に取り付けられるラベル保持体２と、ラベル保持体２の前面側に保持される商品と酷似する表示内容が印刷された表示ラベルＣ又はＤとで構成されている。  
また、ラベル保持体２と、表示ラベルＣ又はＤは、例えばポリアセタール、ポリプロピレン、ポリエチレン、ポリエステル、ポリカーボネード、アクリル等のプラスチックで形成されている。
【００２１】
ラベル保持体２は、缶型の商品の上部（プルトップ側）と対応する大きさ及び形状に形成された上側保持部２Ａの下面側後縁部と、該商品の下部（底部側）と酷似する大きさ及び形状に形成された下側保持部２Ｂの上面側後縁部とを、半円筒状又は円弧状の水平断面形状に形成された支持板２Ｃで一体的に連結して、上端側及び前面側を開口した枠形状に形成されている。  
なお、支持板２Ｃの前面側上端部に、例えば蓋、天板等からなる上側保持部２Ａを連設して、ラベル保持体２の上端側開口部を閉塞或いは覆ってもよい。
【００２２】
支持板２Ｃの上端側右側縁部には、上側保持部２Ａの下面側周縁部に沿って、表示ラベルＣ又はＤの上縁部が所定の曲率半径に湾曲した状態に保持される帯状の保持壁２Ｄａが可撓変形自在に連設されている。  
支持板２Ｃの上端側左側縁部には、保持壁２Ｄａの遊端側が支持板２Ｃの内側壁面に沿って周方向に挿入される環状の挿入部２Ｃａが形成されている。
【００２３】
保持壁２Ｄａの遊端側上下面には、挿入部２Ｃａの上下内面に形成された一対の突起２Ｅｂが係止される溝部２Ｅａが幅方向に形成されている。  
支持板２Ｃの下端側右側縁部には、下側保持部２Ｂの上面側周縁部に沿って、表示ラベルＣ又はＤの下縁部が所定の曲率半径に湾曲した状態に保持される帯状の保持壁２Ｄｂが可撓変形自在に連設されている。
【００２４】
支持板２Ｃの下端側左側縁部には、保持壁２Ｄｂの遊端側が支持板２Ｃの内側壁面に沿って周方向に挿入される環状の挿入部２Ｃｂが形成されている。
【００２５】
保持壁２Ｄｂの遊端側上下面には、挿入部２Ｃｂの上下内面に形成された一対の突起２Ｅｂが係止される溝部２Ｅａが幅方向に形成されている。
【００２６】
つまり、挿入部２Ｃａ，２Ｃｂに保持壁２Ｄａ，２Ｄｂの遊端側を挿入した際、挿入部２Ｃａ，２Ｃｂに挿入された保持壁２Ｄａ，２Ｄｂを長手方向へ前後動する。また、突起２Ｅｂに係止される溝部２Ｅａの位置を長手方向へ段階的に変位させて、挿入部２Ｃａ，２Ｃｂに対する保持壁２Ｄａ，２Ｄｂの挿入長さを長手方向に可変調節する。  
これにより、保持壁２Ｄａ，２Ｄｂが、商品と対応する曲率半径に湾曲された表示ラベルＣ又はＤに応じて、該表示ラベルＣ又はＤの上縁部及び下縁部が保持される曲率半径に拡縮される。
【００２７】
曲率半径が大きい表示ラベルＣを保持する際は、保持壁２Ｄａ，２Ｄｂの遊端側を、挿入部２Ｃａ，２Ｃｂに対する挿入寸法が短くなる方向に引き出し操作する。また、保持壁２Ｄａ，２Ｄｂを、ラベル支持枠２の軸芯Ｘを中心として拡径方向（図中矢印で示す方向）へ可撓変形させ、曲率半径が大きい表示ラベルＣの上下縁部が保持される曲率半径に拡径調節する（図３のａ，ｂ参照）。
【００２８】
この後、曲率半径が大きい表示ラベルＣを筒状に変形したまま保持壁２Ｄａ，２Ｄｂの内側に挿入する。表示ラベルＣの変形を解除すると、ラベル自体の復元力により、表示ラベルＣの上縁部が保持壁２Ｄａの内側壁面に押し付けられ、表示ラベルＣの下縁部が保持壁２Ｄｂの内側壁面に押し付けられる。  
これにより、表示ラベルＣが、拡径調節された保持壁２Ｄａ，２Ｄｂによって大きな商品と対応する曲率半径に湾曲した状態に矯正或いは保持される（図２の仮想線参照）。
【００２９】
曲率半径が小さい表示ラベルＤを保持する際は、保持壁２Ｄａ，２Ｄｂの遊端側を、挿入部２Ｃａ，２Ｃｂに対する挿入寸法が長くなる方向に押し込み操作する。また、保持壁２Ｄａ，２Ｄｂを、ラベル支持枠２の軸芯Ｘを中心として縮径方向（図中矢印で示す方向）へ可撓変形させ、曲率半径が小さい表示ラベルＤの上下縁部が保持される曲率半径に縮径調節する（図５のｃ，ｄ参照）。
【００３０】
この後、曲率半径が小さい表示ラベルＤを筒状に変形したまま保持壁２Ｄａ，２Ｄｂの内側に挿入する。表示ラベルＤの変形を解除すると、ラベル自体の復元力により、表示ラベルＤの上縁部が保持壁２Ｄａの内側壁面に押し付けられ、表示ラベルＤの下縁部が保持壁２Ｄｂの内側壁面に押し付けられる。  
これにより、表示ラベルＤが、縮径調節された保持壁２Ｄａ，２Ｄｂによって小さな商品と対応する曲率半径に湾曲した状態に矯正或いは保持される（図４の仮想線参照）。
【００３１】
支持板２Ｃの両側縁部には、上側保持部２Ａと下側保持部２Ｂとで表示ラベルＣ又はＤを所定の曲率半径に湾曲した状態に保持した際に、該表示ラベルＣ又はＤの両側縁部が係止される係止部２Ｆが形成されている。
【００３２】
つまり、上側保持部２Ａと下側保持部２Ｂとの間に、表示ラベルＣ又はＤを所定の曲率半径より小径に湾曲して挿入すると、表示ラベルＣ又はＤの両側縁部が、該ラベル自体の復元力により外側へ広がろうとするが、支持板２Ｃの両側縁部に形成された係止部２Ｆに係止される。これにより、表示ラベルＣ又はＤが、商品と対応する曲率半径に湾曲した状態に矯正或いは保持される。
【００３３】
支持板２Ｃの両側縁部より内側の壁面には、上側保持部２Ａと下側保持部２Ｂとで保持された表示ラベルＣ又はＤの両側端部が当接される突起２Ｇが形成されている。
【００３４】
つまり、上側保持部２Ａと下側保持部２Ｂとの間に挿入された表示ラベルＣ又はＤの両側端部が、支持板２Ｃの両側縁部より内側に形成された左右の突起２Ｇに当接される。また、表示ラベルＣ又はＤの上縁部及び下縁部が、上側保持部２Ａの保持壁２Ｄａ及び下側保持部２Ｂの保持壁２Ｄｂの内側壁面に沿って押し付けられた状態に規制される。  
これにより、表示ラベルＣ又はＤの両側端部が支持板２Ｃの突起２Ｇより内側へ押し込まれることがなく、表示ラベルＣ又はＤの前面側がラベル保持体２の前面側開口部に露出される位置に規制される。  
なお、保持壁２Ｄａ，２Ｄｂに、表示ラベルＣ又はＤの上縁部及び下縁部が係止される溝部や凹部等を形成してもよい。
【００３５】
下側保持部２Ｂの底面中央部には、図６、図７に示すように、前記陳列面Ａｂ下方の光源Ｂから投光される光を導光するための採光窓２５が開口されている。
【００３６】
採光窓２５の下面側周縁部には、前記開口部Ａｃの孔径と略同径で、該開口部Ａｃより下方に突出される筒状部２６が形成されている。また、筒状部２６は、前記開口部Ａｃに対する差込みが許容される外径に形成され、ラベル保持体２が起立した状態に支持される長さに形成されている。
【００３７】
前記開口部Ａｃより下方に突出される筒状部２６の左右縁部には、該開口部Ａｃの下面側周縁部に係止される一対の係止部２７が形成されている。また、一対の係止部２７は、前記開口部Ａｃの前後縁部に形成された一対の切欠き部Ａｄと対向する位置に配置され、該切欠き部Ａｄの通過が許容される大きさ及び形状に形成されている。なお、一対の係止部２７は、ラベル保持体２を正面から見て左右に配置されている。
【００３８】
係止部２７の上位側には、開口部Ａｃの内周縁部に対し径方向に圧接される凸部２８が形成されている。また、凸部２８は、開口部Ａｃの両側縁部に形成された凹部Ａｅに対し係止される位置に形成されている。  
凸部２８は、平面から見て滑らかな半円形状（又は半楕円形状）に形成され、該凹部Ａｅに対し係合が許容される大きさ及び形状に形成されている。
【００３９】
表示ラベルＣ，Ｄは、透光性及び柔軟性を有するプラスチック製のシートからなる図２に示す曲率半径が大きい表示ラベルＣと、図４に示す曲率半径が小さい表示ラベルＤとで構成されている。  
また、表示ラベルＣ，Ｄは、自動販売機Ａが販売する缶型の商品と対応する曲率半径に湾曲可能な厚みに形成されている。また、表示ラベルＣ，Ｄの表面には、缶型の商品と酷似する表示内容（例えば商標、文字、模様、図柄、色彩等）が印刷されている。
【００４０】
曲率半径が大きい表示ラベルＣは、例えば２８０ｍｌ、３５０ｍｌ、５００ｍｌの大きさに形成された３種類のラベルとで構成されている。また、曲率半径が小さい表示ラベルＤは、例えば１６０ｍｌ、１９０ｍｌ、２５０ｍｌの大きさに形成された３種類のラベルで構成されている。  
つまり、複数種類の表示ラベルＣ，Ｄの中から、自動販売機Ａが販売する缶型の商品と対応する大きさの表示ラベルＣ又はＤを選択し、その選択した表示ラベルＣ又はＤの保持が許容される大きさに拡縮調節されたラベル保持体２で保持する。
【００４１】
次に、表示ラベルＣ又はＤが保持された展示見本１を、見本陳列部Ａａの陳列面Ａｂに陳列する際の取り付け方法を説明する。  
先ず、ラベル保持体２の筒状部２６に形成された一対の係止部２７と、陳列面Ａｂの開口部Ａｃに形成された一対の切欠き部Ａｄを一致させて、ラベル保持体２の筒状部２６を陳列面Ａｂの開口部Ａｃに対し上方から垂直に差込む(図７参照)。
【００４２】
次に、展示見本１を、ラベル支持枠２の軸芯Ｘを中心として、該ラベル保持体２の前面側に保持された表示ラベルＣ又はＤが正面向きとなるように水平方向へ回転させる。  
また、筒状部２６の一対の係止部２７を、開口部Ａｃの下面側周縁部に係止して抜止めするとともに、係止部２７の凸部２８と開口部Ａｃの凹部Ａｅを互いに係合して回り止めする。
【００４３】
つまり、展示見本１が、見本陳列部Ａａの陳列面Ａｂに対し起立した状態に取り付けられ、ラベル保持体２の前面側に保持された表示ラベルＣ又はＤが正面向きとなる位置に回転停止される(図６参照)。  
これにより、図１に示す上段側の見本陳列部Ａａに、曲率半径が異なる同一高さの展示見本１を複数陳列することができる。
【００４４】
以上のように、ラベル支持枠２の軸芯Ｘを中心として、上側保持部２Ａの保持壁２Ｄａと下側保持部２Ｂの保持壁２Ｄｂとを、自動販売機Ａが販売する様々な商品と対応する曲率半径の表示ラベルＣ又はＤが保持される径に拡縮調節するので、曲率半径が異なる表示ラベルＣ又はＤを一つのラベル保持体２で保持することができる。また、一つのラベル保持体２を共通して使用するので、展示見本１の保管数及び取扱い数が少なくなり、展示見本１の製作に要するコストの低減を図ることができる。
【００４５】
図８は、展示見本１の他の取り付け構造を示す底面側斜視図である。  
本例の取り付け構造は、ラベル保持体２を後方へ傾けて、採光窓２５の下面側後縁部に形成された係止爪３０を、陳列部Ａａの陳列面Ａｂに形成した開口部Ａｃの後側内周縁部に係止する。また、ラベル保持体２を起立角度に復帰させて、採光窓２５の下面側前縁部に形成された係止爪３１を、開口部Ａｃの前側内周縁部に係止する。
【００４６】
さらに、係止爪３１の両側部に形成された円弧状の係止片３２を、開口部Ａｃの内周縁部に係止する。また、採光窓２５の下面側両側部に形成された軸状の凸部３３を、開口部Ａｃの両側縁部に形成された凹部Ａｅに係合して回り止めする。  
これにより、展示見本１を、自動販売機Ａが販売する商品と対応する曲率半径の表示ラベルＣ又はＤが正面向きとなるように取り付けることができ、前記実施例と略同等の作用及び効果を奏することができる。
【００４７】
図９は、展示見本１のその他の取り付け構造を示す底面側斜視図である。  
本例の取り付け構造は、陳列面Ａｂに形成された開口部Ａｃに、ラベル保持体２の下側枠体４に形成された筒状部２６を差込み、開口部Ａｃの前後縁部に形成された切欠き部Ａｄに、筒状部２６の前後縁部に形成された一対の係止部３６を挿入する。また、開口部Ａｃの内周縁部に、係止部３６の近傍に形成された支持片３７を当接して筒状部２６中心に向けて変位又は可撓させる。
【００４８】
次に、ラベル保持体２を矢印方向へ水平回動して、開口部Ａｃの下面側周縁部に係止部３６を係止し、支持片３７を該支持片３７自体の復元力により切欠き部Ａｄに係止する。また、筒状部２６の左右縁部に形成された凸部２８を、開口部Ａｃの凹部Ａｅに係合して回り止めする。  
これにより、展示見本１を、自動販売機Ａが販売する商品と対応する曲率半径の表示ラベルＣ又はＤが正面向きとなるように取り付けることができ、前記実施例と略同等の作用及び効果を奏することができる。
【００４９】
図１０、図１１は、表示ラベルＣ又はＤの高さ（又は長さ）に応じてラベル保持体２が伸縮調節される展示見本１の他の例を示す斜視図である。  
本例の展示見本１は、ラベル保持体２の上側保持部２Ａと下側保持部２Ｂとが上下分割され、上側保持部２Ａと下側保持部２Ｂとを連結する支持板２Ｃが、上側支持板３Ｂと下側支持板４Ｂとに上下分割されている。また、上側保持部２Ａは、缶型の商品の上部（プルトップ側）と酷似するとともに、ラベル保持体２の上端側が覆われる大きさ及び形状に形成されている。
【００５０】
上側支持板３Ｂは、上側保持部２Ａの下面中央部に対し下方に向けて垂下されている。また、下側支持板４Ｂは、下側保持部２Ｂの上面中央部に対し上方に向けて起立されている。さらに、上側支持板３Ｂと下側支持板４Ｂは、上側支持板３Ｂの前面に下側支持板４Ｂの後面を重ね合わせて上下動自在に連結されている。
【００５１】
上側支持板３Ｂの上端側右側縁部には、前記保持壁２Ｄａの一端が連設されている。また、上側支持板３Ｂの上端側左側縁部には、前記保持壁２Ｄａの他端を挿入する前記挿入部２Ｃａが形成されている。
【００５２】
一方、下側支持板４Ｂの下端側右側縁部には、前記保持壁２Ｄｂの一端が連設されている。また、下側支持板４Ｂの下端側左側縁部には、前記保持壁２Ｄｂの他端を挿入する挿入部２Ｃｂが形成されている。
【００５３】
上側支持板３Ｂの前面側中央下端部には、後述する下側支持板４Ｂの案内孔４Ｃに対し上下動自在に係合される平面から見てＴ字状の係止体３Ｃが設けられている。
【００５４】
係止体３Ｃは、上側支持板３Ｂの前面側で中央下端部に突設された支持部３Ｃａと、該支持部３Ｃａの突出側端部に形成された係止片３Ｃｂとで構成されている。  
支持部３Ｃａは、後述する案内孔４Ｃの横幅より幅狭に形成され、案内孔４Ｃに対し前後方向（又は厚み方向）に貫通する長さに形成されている。
【００５５】
係止片３Ｃｂは、案内孔４Ｃの横幅より幅広に形成され、案内孔４Ｃの長手方向と直交して支持部３Ｃａの突出側端部に形成されている。  
係止片３Ｃｂの両端には、案内孔４Ｃの前面側両側縁部に形成された一対の溝部４Ｃｂに対し係合される突起３Ｃｃが形成されている。
【００５６】
一方、下側支持板４Ｂの前面側中央部には、前記係止体３Ｃが上下動自在に係合される正面から見て縦長矩形の案内孔４Ｃが形成されている。  
案内孔４Ｃの上端側には、前記係止体３Ｃが前後方向（又は厚み方向）に差し込み及び抜き取りされる開口部４Ｃａが開口されている。  
開口部４Ｃａは、下側支持板４Ｂの前面側中央上部に配置されており、前記係止体３Ｃの係止片３Ｃｂが前後方向（又は厚み方向）に差し込み及び抜き取りが許容される大きさ及び形状に形成されている。
【００５７】
案内孔４Ｃは、下側支持板４Ｂの長手方向と平行して上下方向に形成され、下側支持板４Ｂの上端側縁部及び下端側縁部に至る長さに形成されている。また、案内孔４Ｃは、前述した係止体３Ｃの支持部３Ｃａの横幅より幅広に形成され、係止片３Ｃｂの両端を結ぶ全長より幅狭に形成されている。  
案内孔４Ｃの前面側両側縁部には、前記係止片３Ｃｂの突起３Ｃｃが係合される一対の溝部４Ｃｂが該案内孔４Ｃに沿って所定間隔に隔てて複数形成されている。
【００５８】
一対の溝部４Ｃｂは、自動販売機Ａが販売する商品の容量サイズ（例えば１６０ｍｌ、１９０ｍｌ、２５０ｍｌ、２８０ｍｌ、３５０ｍｌ、５００ｍｌ等）に対応して、案内孔４Ｃの両側縁部に沿って上下方向に複数配列されている。実施例では、１６０ｍｌ、２８０ｍｌ、１９０ｍｌ、３５０ｍｌ、２５０ｍｌ、５００ｍｌの順に、案内孔４Ｃの下端側から上端側に向けて配列されている。
【００５９】
つまり、係止片３Ｃｂの突起３Ｃｃを案内孔４Ｃの溝部４Ｃｂに係合することにより、上側枠体３と下側枠体４からなるラベル保持体２が、前記商品と対応する高さ（又は長さ）に規制される。
【００６０】
次に、ラベル保持体２を、高さ（又は長さ）が異なる様々な商品と対応するサイズに伸縮調節する場合、上側枠体３の上側支持板３Ｂと、下側枠体４の下側支持板４Ｂを前後方向に対向して、上側支持板３Ｂの係止体３Ｃが、下側支持板４Ｂの開口部４Ｃａと対向するように位置させる。この後、上側支持板３Ｂと下側支持板４Ｂを前後に重ね合せて、上側支持板３Ｂの係止体３Ｃを、下側支持板４Ｂの開口部４Ｃａに挿入する。
【００６１】
上側枠体３及び下側枠体４のいずれか一方又は両方を上下方向（又はラベル保持体２の長さ方向）に相対移動させ、係止体３Ｃの支持部３Ｃａを、開口部４Ｃａに接続された案内孔４Ｃの上側又は下側に挿入して、上側枠体３と下側枠体４を一体的に組み付ける。
【００６２】
この後、係止体３Ｃの係止片３Ｃｂに形成された一対の突起３Ｃｃを、案内孔４Ｃの両側縁部に形成された一対の溝部４Ｃｂに係合する。つまり、上側枠体３の上側支持板３Ｂと下側枠体４の下側支持板４Ｂとのスライド位置が規制され、ラベル保持体２が、表示ラベルＣ又はＤと対応する高さ（又は長さ）に規制される（図１０、図１１参照）。
【００６３】
つまり、高さ（又は長さ）が異なる表示ラベルＣ又はＤを一つのラベル保持体２で保持することができ、図１に示す下段側の見本陳列部Ａａに、高さ（又は長さ）が異なる展示見本１を複数陳列することができる。
【００６４】
また、ラベル支持枠２の軸芯Ｘを中心として、上側保持部２Ａの保持壁２Ｄａと下側保持部２Ｂの保持壁２Ｄｂとを、自動販売機Ａが販売する様々な商品と対応する曲率半径の表示ラベルＣ又はＤが保持される径に拡縮調節すれば、曲率半径が異なる表示ラベルＣ又はＤを一つのラベル保持体２で保持することができる。  
これにより、図１に示す下段側の見本陳列部Ａａに、高さ（又は長さ）及び曲率半径が異なる展示見本１を複数陳列することができるとともに、前記実施例と略同等の作用及び効果を奏することができる。
【００６５】
図１２は、上側保持部２Ａの保持壁２Ｄａと下側保持部２Ｂの保持壁２Ｄｂとが左右均等に拡縮調節される展示見本１のその他の例を示す斜視図である。
【００６６】
本例の展示見本１は、上側支持板３Ｂの上端側左右縁部に、前記保持壁２Ｄａの両端を挿入する挿入部２Ｃａ，２Ｃａが形成されている。  
また、下側支持板４Ｂの下端側左右縁部に、前記保持壁２Ｄｂの両端を挿入する挿入部２Ｃｂ，２Ｃｂが形成されている。
【００６７】
つまり、挿入部２Ｃａ，２Ｃａに挿入された保持壁２Ｄａの両端挿入位置と、挿入部２Ｃｂ，２Ｃｂに挿入された保持壁２Ｄｂの両端挿入位置とを長手方向へ段階的に変位させ、挿入部２Ｃａ，２Ｃｂに対する保持壁２Ｄａ，２Ｄｂの挿入長さを長手方向に可変調節する。
【００６８】
また、保持壁２Ｄａ，２Ｄｂを、ラベル支持枠２の軸芯Ｘを中心として、自動販売機Ａが販売する商品と対応する曲率半径の表示ラベルＣ又はＤが保持される径に拡縮調節する。
【００６９】
これにより、曲率半径が異なる表示ラベルＣ又はＤを、自動販売機Ａが販売する商品と酷似する曲率半径に保持することができ、前記実施例と略同等の作用及び効果を奏することができる。
【００７０】
なお、前記支持板２Ｃの上端側左右縁部に形成された挿入部２Ｃａ，２Ｃａに前記保持壁２Ｄａの両端を挿入し、支持板２Ｃの下端側左右縁部に形成された挿入部２Ｃｂ，２Ｃｂに前記保持壁２Ｄｂの両端を挿入して、保持壁２Ｄａ，２Ｄｂを左右均等に拡縮調節自在に設けてもよい。
【００７１】
この発明の構成と、前記実施形態との対応において、  
この発明の挿入長さ調節手段は、実施例の溝部２Ｅａと突起２Ｅｂに対応するも、  
この発明は、上述の実施形態の構成のみに限定されるものではなく、請求項に示される技術思想に基づいて応用することができ、多くの実施の形態を得ることができる。
【００７２】
前記溝部２Ｅａ及び突起２Ｅｂに代わる挿入長さ調節手段として、例えば挿入部２Ｃａ，２Ｃｂに挿入された保持壁２Ｄａ，２Ｄｂの端部を、挿入部２Ｃａ，２Ｃｂに取り付けられたネジで締付け固定してもよい。
【００７３】
また、保持壁２Ｄａ，２Ｄｂの端部に沿って複数形成された一つの凹部に、挿入部２Ｃａ，２Ｃｂに取り付けられた球体や爪体を係合する等して、保持壁２Ｄａ，２Ｄｂの端部を、挿入部２Ｃａ，２Ｃｂに対し所望する長さ挿入された位置に固定してもよい。
【符号の説明】
【００７４】
Ａ…自動販売機
Ａａ…見本陳列部
Ａｂ…陳列面
Ａｃ…開口部
Ａｄ…切欠き部
Ａｅ…凹部
Ｃ，Ｄ…表示ラベル
１…展示見本
２…ラベル保持体
２Ａ…上側保持部
２Ｂ…下側保持部
２Ｃ…支持板
２Ｃａ，２Ｃｂ…挿入部
２Ｄａ，２Ｄｂ…保持壁
２Ｅａ…溝部
２Ｅｂ…突起
３Ｂ…上側支持板
４Ｂ…下側支持板
３Ｃ…係止体
３Ｃｃ…突起
４Ｃ…案内孔
４Ｃａ…開口部
４Ｃｂ…溝部
２５…採光窓
２６…筒状部
２７…係止部
２８…凸部
３０…係止爪
３１…係止爪
３２…係止片
３３…凸部
３６…係止部
３７…支持片
【図１】
2010257030.tif 000003
【図２】
2010257030.tif 000004
【図３】
2010257030.tif 000005
【図４】
2010257030.tif 000006
【図５】
2010257030.tif 000007
【図６】
2010257030.tif 000008
【図７】
2010257030.tif 000009
【図８】
2010257030.tif 000010
【図９】
2010257030.tif 000011
【図１０】
2010257030.tif 000012
【図１１】
2010257030.tif 000013
【図１２】
2010257030.tif 000014